(57)【要約】本発明は、互いに平行な列のパネル（１０）を敷設し、機械的に接合する方法に関する。パネル（１０）はそれぞれの側端部に、主にさねと溝の接続部によって形成され、それらを旋回させて相互に入れ込むことによってパネル（１０）を接合するロック手段を有する。本発明による方法は、以下の手順からなる。最初に、新たに敷設するパネル列（４４）の複数のパネル（１０）を、対にして相互に接合する。次に、次に第２のステップで、新たに敷設するパネル列（４４）の互いに接合されたパネル（１０）を、幾つかの区間に分けて作業を行いながら１つまたは複数の小ステップで、新たに敷設するパネル列（４４）の一方の端部（４６ａ）から開始してそのもう一方の端部（４６ｂ）へ向かって、パネル（１０）のねじれ撓み性を利用して、すでに敷設したパネル列（４２）のパネルに、ロック手段を旋回させて入れ込むことによって、ジッパのような手法で接合していく。【選択図】図５
2008542580.tif 000002
【特許請求の範囲】
【請求項１】
互いに平行な列（４０、４２、４４）をもってパネル（１０）を敷設し、機械的に接合する方法であって、前記パネル（１０）はそれぞれ、互いに相対して位置する側端部の第１の対（１２、１４）と、互いに相対して位置する側端部の第２の対（１６、１８）とを有し、
ロック手段（２０、２２）の第１の対が前記側端部の第１の対（１２、１４）に割り当てられるとともに、ロック手段（２０、２２）の第２の対が前記側端部の第２の対（１６、１８）に割り当てられ、前記ロック手段（２０、２２）の第１の対および第２の対は、基本的に、さね（２２）および溝（２０）で構成され、
前記ロック手段（２０、２２）を用いて、パネル平面（Ｌ−Ｑ）に対して垂直に延在する方向（Ｈ）、および前記パネル平面（Ｌ−Ｑ）に対し平行で、かつ、前記側端部（１２、１４、１６、１８）に対して直交して延在する方向（Ｌ）または方向（Ｑ）に、隣接する２枚のパネル（１０）を互いにロックすることができ、
前記ロック手段（２０、２２）の第１の対の前記さね（２２）および前記溝（２０）を旋回させて互いに入れ込むことによって、前記さね（２２）および前記溝（２０）を互いに連結することができる方法において、
最初に第１のステップで、新たに敷設するパネル列（４４）の複数のパネル（１０、１０’…）を、それらそれぞれのロック手段の第２の対（２０、２２）のロック手段を用いて対で互いに接合し、
次に第２のステップで、新たに敷設する前記パネル列（４４）の互いに接合された前記パネル（１０、１０’…）を、幾つかの区間に分けて作業を行いながら１つまたは複数の小ステップで、新たに敷設する前記パネル列（４４）の一方の端部（４６ａ）から開始してそのもう一方の端部（４６ｂ）へ向かって、それらそれぞれのロック手段（２０、２２）の第１の対のロック手段を旋回させて他方に入れ込むことによって、前記側端部の第１の対（１２、１４）に対して平行に延在する軸（Ｌ）を中心とする前記パネル（１０）のねじれ撓み性を利用して、すでに敷設した前記パネル列（４２）の前記パネルに接合すること、を特徴とする方法。
【請求項２】
前記パネル（１０）を旋回させて他方に入れ込む際、
最初に、一方の前記パネル列（４４）の前記パネルの前記さね（２２）を、他方の前記パネル列（４２）の前記パネルの前記溝（２０）に挿入し、次に、これが前記パネル列の全体に沿って完了した後、
すでに敷設した前記パネル列（４２）の可視面（２４）と新たに敷設する前記パネル列（４４）の前記パネルの可視面（２４）とが、ほぼ１つの平面内に配置されるように、新たに敷設する前記パネル列（４４）の前記パネルを旋回させることを特徴とする請求項１に記載の方法。
【請求項３】
新たに敷設する前記パネル列（４４）の前記パネルは、前記第１のステップの前処理として、または前記第１のステップを実施している間に、互いに整列されることを特徴とする請求項１または請求項２に記載の方法。
【請求項４】
前記パネル（１０）は、すでに敷設した前記パネル列（４２）の前記パネルが、それらの溝（２０）が、新たに敷設する前記パネル列（４４）の前記パネルに向くように、方向を合わせて敷設されることを特徴とする請求項１から請求項３迄の何れかにに記載の方法。
【請求項５】
すでに敷設した前記パネル列（４２）の前記パネルの可視面（２４）に隣接するリップ（２０ａ）が、新たに敷設する前記パネル列（４４）の前記パネルの前記さね（２２）に対するストッパとして使用されることを特徴とする請求項３および請求項４に記載の方法。
【請求項６】
前記パネル（１０）の前記ねじれ撓み性は、パネルの側端部の第１の対（１２、１４）に対してほぼ平行に延在する軸（Ｌ）を中心として、前記パネルの長さ１メートル当たり少なくとも２°、好ましくは、少なくとも４°、さらに好ましくは、少なくとも６°であることを特徴とする請求項１から請求項５迄の何れかに記載の方法。
【請求項７】
前記パネル（１０）は長方形のパネルであり、前記側端部の第１の対（１２、１４）は、前記長方形の長辺に割り当てられ、前記側端部の第２の対（１６、１８）は、前記長方形の短辺に割り当てられたことを特徴とする請求項１から請求項６迄の何れかに記載の方法。
【請求項８】
前記ロック手段の第１の対（２０、２２）および／または前記ロック手段の第２の対（２０、２２）は、前記パネル（１０）のコア部（３０）と一体で形成されることを特徴とする請求項１から請求項７迄の何れかに記載の方法。
【請求項９】
前記ロック手段の第１の対（２０、２２）の前記溝（２０）は、その溝を画定する２つのリップ（２０ａ、２０ｂ）を有し、前記パネル（１０）の可視面（２４）から離れたリップ（２０ｂ）は、前記パネル（１０）の前記可視面（２４）に近いリップ（２０ａ）よりも長いことを特徴とする請求項１から請求項８迄の何れかに記載の方法。
【請求項１０】
前記ロック手段の第２の対（２０、２２）の前記溝（２０）および前記さね（２２）はまた、それらを旋回させて互いに入れ込むことによって互いに接合できることを特徴とする請求項１から請求項９迄の何れかに記載の方法。
【請求項１１】
前記ロック手段の第１の対（２０、２２）と前記ロック手段の第２の対（２０、２２）とは、ほぼ同一であるように形成されることを特徴とする請求項１０に記載の方法。
【請求項１２】
前記パネル（１０）は、木質繊維材料または木材チップ材料からなるコア部（３０）を有し、
当該コア部は、必要に応じて、前記パネル（１０）の可視面（２４）に対向する側を装飾層（３２）で覆われ、および／または、前記パネル（１０）の前記可視面（２４）から離れて対向する側を対向する層（３４）で覆われたことを特徴とする請求項１から請求項１１迄の何れかに記載の方法。
【発明の詳細な説明】
【技術分野】
【０００１】
本発明は、互いに平行な列をなすようにパネルを敷設し、機械的に接合する方法であって、パネルはそれぞれ、互いに相対して位置する側端部の第１の対と、互いに相対して位置する側端部の第２の対と、側端部の第１の対に割り当てられたロック手段の第１の対と、側端部の第２の対に割り当てられたロック手段の第２の対とを有し、ロック手段の対は、基本的に、さねと溝とで形成され、パネル平面に対して平行に延在し、かつそれぞれの側端部に対して直角に延在する方向だけでなく、パネル平面に対して直角に延在する方向に、隣接する２枚のパネルをロック手段を用いて互いにロックすることが可能であり、ロック手段の第１の対のさねおよび溝を旋回させて互いに入れ込むことによって、これらを互いに接合することができる方法に関する。
【背景技術】
【０００２】
このタイプの、パネルを敷設して機械的に接合する方法は、例えば、欧州特許第０９６９１６４号（ＥＰ０９６９１６４Ｂ１）から公知である。この方法の場合、新たに敷設するパネル列に追加するパネルは、新たに敷設するパネルの列用にすでに敷設したパネルのところに運ばれる。次いで、新たに敷設するパネル列のすでに敷設したパネルが、すでに敷設したパネル列に対して旋回されるが、すでに敷設したパネルとの係合を解除することはない。最後に、新たに敷設するパネルの短い側部の一方が、この態様で新たに敷設するパネル列にあるすでに敷設したパネルの拘束されていない短い側部に合わされ、これら２枚のパネルのパネル平面は互いにある角度をなす。新たに敷設するパネル列のすでに敷設したパネルと新たに敷設するパネルの係合部を係合させた後、新たに敷設するパネルのパネル平面と、新たに敷設するパネル列のすでに敷設したパネルのパネル平面と、すでに敷設したパネル列のパネルのパネル平面とは、互いに角度をなして、それぞれ対となって延在する。次のステップでは、次いで、新たに敷設するパネルと、新たに敷設するパネル列のすでに敷設したパネルとが、すでに敷設したパネル列が整列して配置された床の領域に向かって同時に旋回されて、一方で、新たに敷設するパネルの長い側部にある係合部を最後に敷設したパネル列の係合部と係合させ、他方で、新たに敷設するパネルのパネル平面と、新たに敷設するパネル列のすでに敷設したパネルのパネル平面とを、すでに敷設したパネル列のパネル平面と合致させる。
【発明の開示】
【発明が解決しようとする課題】
【０００３】
この公知の方法には、実施するために非常に労力を要し難しいという課題がある。２人の床張り職人で作業する場合、そのうちの１人が新たに敷設するパネルを取り扱い、もう１人が新たに敷設するパネル列のすでに敷設したパネルを取り扱うか、または１人の人間で行う場合でも、一方の手で新たに敷設するパネルを取り扱い、他方の手で新たに敷設するパネル列のすでに敷設したパネルを取り扱う必要がある。前者の場合は、１人の人間が単独でパネルを敷設することはできないので、困難である。一方、後者の場合でも、空間的な向きが細かく特定されており、通常、長さが約１．２ｍ、幅が約０．２ｍ、重量が約０．４ｋｇあるパネルに生じるこの作用も考慮しながらも、新たに敷設するパネル列をすでに敷設したパネルに対して正確に相対する位置に、新たに敷設するパネルを配置する必要があるため、床張り職人として、特に、新たに敷設するパネルの取り扱いはきわめて複雑になり、大きな労力を必要とするという問題がある。
【０００４】
したがって、本発明の目的は、先に説明した種類のパネルを、より容易に、特に１人の床張り職人で行うことができるように、敷設、および機械的に接合する方法を開示することにある。
【課題を解決するための手段】
【０００５】
この目的は、最初に述べた種類の方法に加えて本発明に従って実行することによって達成され、本方法では、最初に新たに敷設するパネル列の複数のパネルを、好ましくは、新たに敷設するパネル列の全てのパネルを、第１のステップにおいて、ロック手段のそれぞれの第２の対のロック手段によって、お互いに対として接合し、次に第２のステップでは、一つ以上の小ステップに分けて作業をして、新たに敷設するパネル列の端部の一方から開始して、端部の他方に向かって、側端部の第１の対に対して平行に延在する軸を中心とするパネルのねじれ撓み性を用いて、新たに敷設するパネル列のそれぞれ接合したパネルを、ロック手段のそれぞれの第１の対のロック手段を旋回させることによって、既に敷設したパネル列のパネルに接合する。本方法では、パネルを敷設する際に利用することを考慮されてこなかったパネルの二つの特性を用いる。一つは、ロック手段の係合強度であり、他方は、側端部の第１の対に対して平行に延在する軸を中心とするパネルのねじれ撓み性である。
【０００６】
第１のステップでは、相互に接合する２枚のパネルのロック手段の係合強度を用いて、新たに敷設するパネル列の複数のパネルからある種の「合成パネル（ｓｕｐｅｒ  ｐａｎｅｌ）」を形成する。「合成パネル」の幅は、その側端部の第２の対に沿ったパネルの寸法と等しく、「合成パネル」の長さは、それぞれの側端部の第１の対に沿った、複数のパネルの寸法の、複数のパネルに対応する、倍数に等しい。さらに、本発明による敷設方法の第２のステップのこの合成パネルを取り扱う際において、合成パネルの個々のパネルは、ロック手段の係合が強いため、他のパネルに対してそれ自体で移動することがない。必ずしも必須ではないが、合成パネルを、最後に敷設したパネル列の直近で組み立てることを推奨する。
【０００７】
本発明による敷設方法の第２のステップでは、パネルのねじれ撓み性、すなわち、合成パネルのねじれ撓み性を用いて、合成パネルのロック手段を、最後に敷設したパネル列の対応するロック手段に係合する。このため、原理的には、合成パネル全体を、既に敷設したパネル列に対してある角度傾斜させて、相互に係合部を旋回させられることができるが、このためには複数の床張り職人を必要とする。本発明によると、合成パネルの長手端部に隣接する部位から開始して、この部位のロック手段を既に敷設したパネル列の対応する部位のロック手段に係合させることができる。しかしながら、これは、係合が完了した時点で、この部位の領域のパネル面が、既に敷設したパネル列のパネル面に対して同一直線上に配置されていることを意味するものではない。具体的には、ロック手段が単に係合するだけで十分である。このように、部位を分割して、合成パネルの他の長手端部に向かって作業を進め、側端部の第１の対に対して平行に延在する軸を中心としたねじれ撓み性によって、パネルまたは合成パネルは、合成パネルの一方の長手端部から合成パネルの他方の長手端部へ緩やかな「ウェイブ」運動を行う。ロック手段の係合状態が完了した時点で、合成パネルがその自重によって床面に対して旋回していない場合、合成パネルを既に敷設したパネル列に相互に接合するためのロック手段が完全を旋回するために、床張り職人は、これを、好ましくは、再び合成パネルの一方の長手端部から他方の長手端部にもう一度作業することによって、完了することができる。要約すると、合成パネルと最後に敷設したパネル列はお互いに、本発明による敷設方法の「ジッパのような」手法で接合されると言うことができる。
【０００８】
上記の態様では、１人の床張り職人が、複雑な作業をせずに、パネルを容易に敷設することもできる。
【０００９】
合成パネルを生成する際に、第１のステップに向けた準備として、または第１のステップを行っている間に、新たに敷設するパネル列のパネルを相互に同一直線上に配置させることが好ましい。ロック手段を旋回させて互いに入れ込むことを容易にするため、パネルを、すでに敷設したパネル列のパネルがそれらの溝を、どの場合でも、新たに敷設するパネル列のパネルに対して向くように、方向を合わせて配置すると有利である。この場合に、すでに敷設したパネル列のパネルの可視面に近いリップ部を、新たに敷設するパネル列のパネルのさねに対するストッパとして使用することにより、新たに敷設するパネル列のパネルを同一直線上に配置することができる。
【００１０】
本発明による方法は、基本的にパネルの側端部の第１の対に対して平行に延在する軸を中心としたパネルのねじれ撓み性が、パネルの長さ１メートル当たり少なくとも２°、好ましくは、少なくとも４°、さらにより好ましくは、少なくとも６°である場合に、特に単純な手法で行うことができる。パネルのこのねじれ撓み性は、例えば、所定の長さのパネルをその２つの短い側端部で固定し、次いで、パネルを、これらの２つの側端部を互いに反対の旋回方向に旋回させることによって、特に、その可視面を損傷することなく、敷設とは無関係に測定で求めることができる。次いで、このようにして求めたパネルの２つの短い側端部がなす角度値を、メートル単位で測定したパネルの長さ値で単に割ればよい。
【００１１】
上述のように、パネルは、例えば、長方形パネルであり、側端部の第１の対は長方形の長い辺に割り当てられ、側端部の第２の対は、長方形の短い辺に割り当ててもよい。しかし、原理的には、本発明による敷設方法を正方形のパネルで実施することも考えられる。
【００１２】
ロック手段の第１の対および／またはロック手段の第２の対を、パネルのコア部と一体として構成することは、本発明による敷設方法で用いるロック手段によって２枚の隣接するパネルをロックする強度に有益である。
【００１３】
原理的には、本発明による敷設方法は、溝を画定する長さと同じ長さのリップ部を有するパネルとともに使用することもできるが、本発明をさらに発展させると、ロック手段の第１の対の溝が、溝を画定する２つのリップ部を有することが提案される。この場合、パネルの可視面から遠いリップ部を、パネルの可視面に近いリップ部よりも長くしてもよい。したがって、一方のパネルのさねが、旋回して他方のパネルの溝に入るときに、下側の溝を画定するより長いリップ部にさねを置き、スライドさせ、旋回させて溝に入れることが確実にできるようにして、誤って敷設領域の比較的粗い面と係合して、破損の危険にされることとのないようにする。さらに、これは、合成パネルに新たに敷設するパネル列のパネルを接合する際に、相対するパネルの整列を簡単にするために使用することができる。
【００１４】
本発明による方法は、旋回させて互いに入れ込むことによって、ロック手段の第２の対のさねと溝を互いに接合することもできるパネルで使用するのに特に有益である。原理的には、本発明による方法は、ロック手段の第２の対のさねと溝を、ほぼ同一平面内でそれらを互いに押し込むことによって互いに接合することができるパネルで使用することもできるが、１人の床張り職人で容易に実施することができる他の敷設方法も、この種のパネル用に存在する。パネルの生産を容易にするために、ロック手段の第１の対とロック手段の第２の対を基本的に同じ構成で具現化することが提案される。
【００１５】
本発明による方法は、木質繊維材料または木材チップ材料からなるコア部を有し、必要に応じて、パネルの可視面に対向する側に装飾層を設け、および／または、パネルの可視面から離れて対向する側に対向する層を設けたパネルで特に有益に使用することができる。例えば、ＭＤＦ板（中質繊維板）またはＨＤＦ板（高密度繊維板）が木質繊維材料として使用され、例えば、ＯＳＢ板（配向性構造板）が木材チップ材料として使用される。
【００１６】
また、パネルは、好ましくは床板であることを付け加えなければならない。
【発明を実施するための最良の形態】
【００１７】
本発明を以下に、添付図面を用いて典型的な実施形態に基いてさらに詳細に説明する。
【００１８】
図１に、本発明による方法を用いて敷設できるパネル全体を参照番号１０で示す。パネル１０は、長方形の態様で具現化され、長手方向Ｌに互いに平行に延在する、パネル１０の長い側の２つの側端部１２、１４と、横断方向Ｑに互いに平行に延在するパネル１０の短い側の２つの側端部１６、１８とを有する。側端部の対１２、１４と側端部の対１６、１８にはともに、基本的に、溝２０とさね２２から構成されるロック手段が設けられている。
【００１９】
溝２０は、パネル１０の可視面２４に近い上側リップ２０ａと、可視面２４から離間し、可視面２４に対して離れて対向するパネル１０のベース領域２６に近い下側リップ２０ｂとによって画定される。図示の典型的な実施形態では、下側リップ２０ｂは、上側リップ２０ａよりも長く、パネルの側端部２０、１６を越えて突出している（図２を参照のこと）。溝２０の溝ベース部２０ｃを図１に点線で示す。ロック突起２０ｄは、下側リップ２０ｂからパネル１０の垂直方向Ｈに突出しており、突起上にはロック面２０ｅが形成されている。さらに、可視面２４に対してほぼ平行に延在する下側リップ２０ｂの溝画定面２０ｆと、同様に、可視面２４に対してほぼ平行に延在する上側リップ２０ａの溝画定面２０ｇにも留意すべきである。
【００２０】
図１に破線で示す、パネル１０の本体の端部を表すさね２２は、境界線２２ｃから始まる。さらに、係合突起２２ａがさね２２に設けられ、この突起は、上側リップ２０ａの下で係合する。図７Ｃに示す２枚のパネルが接合された状態では、可視面２４に対してほぼ平行な合わせ面２２ｇが溝２０の溝画定面２０ｇに対して係合している。さらに、さね２２は、ロック突起２２ｄを有する。一方で、パネル１０の可視面２４に対してほぼ平行に延在する合わせ面２２ｆがロック突起２２ｄ上に形成され、図７Ｃに示す２つの隣接するパネルがロックされた状態では、さね２２は、その合わせ面で下側リップ２０ｂの下側溝画定面２０ｆに支持される。他方で、ロック面２２ｅがロック突起２２ｄに設けられ、そのロック面は、図７Ｃに示すロック状態では、溝２０のロック面２０ｅに支持される。さらに、合わせ面２２ｈもさね２２の面に設けられ、その合わせ面は、基本的に、パネル１０の可視面２４に対して垂直に延在し、図７Ｃに示すロック状態では、溝２０の面２０ｈに支持される。
【００２１】
図７Ｃに示す２つの隣接するパネルがロックされた状態では、面対２０ｅ／２２ｅおよび面対２０ｈ／２２ｈが相互に作用して、パネルの垂直方向Ｈに対して直角に延在すると同時に、それぞれ示した側端部に対しても直角に延在する方向に、２枚のパネルが互いにロックされる。一方、パネル１０の可視面２４に対してほぼ平行に延在する面対２０ｇ／２２ｇおよび面対２０ｆ／２２ｆの相互作用により、２枚のパネルがパネル１０の垂直方向Ｈにロックされる。
【００２２】
図２に示すように、溝２０は、パネル１０のコア部３０に凹設され、そのコア部は、例えば、木質繊維材料、好ましくは、中質繊維板（ＭＤＦ）もしくは高密度繊維板（ＨＤＦ）で作るか、または、例えば、ＯＳＢ板などの木材チップ材料で作ることができる。コア部３０に、パネル１０の可視面に装飾層３２を設けることができる。この装飾層は、例えば、最上部に所望のパターンを印刷できる、合成樹脂を含浸させて、圧縮して積層を形成した、１つまたは複数の紙層を含む。同様に、パネル１０のベース面２６は、装飾層３２と同様に、複数の紙層から作ることができる対向する層３４で覆うことができる。対向する層３４および装飾層３２は、パネル１０の可視面２４またはベース面２６の全体にわたって延在することが好ましい。ベース領域２６は、下側リップ２０ｂの、図２で示す下方への好ましくない反りを防止するように、図２に陰影で示した領域２６ａのみ、すなわち、下側リップ２０ｂに隣接した領域のみ、対向する紙３４がなくてもよい。
【００２３】
なお、パネル１０には、可視面２４に隣接する側端部１２、１４、１６、１８の領域に面取りした面３６を設け、この面取りした面が、隣接するパネルの対応する面取りした面とともにＶ字の継ぎ目を形成し、このＶ字継ぎ目は、主に美的効果をもたらすことに留意されたい。
【００２４】
図３に示すように、上記のパネルは、それらの長手方向軸Ｌのまわりに所定の範囲までねじることができる特性を有する。したがって、パネル１０が短い方の側端部１６、１８の両方で固定され、これらの２つの側端部が、パネル１０の長手方向軸Ｌに対して平行に延在する軸のまわりに、反対方向にねじられると、側端部１６に隣接する部分の可視面２４と、側端部１８に隣接する部分の可視面２４との間に角度αが形成される。もちろん、同じことが、側端部１６、１８に隣接する部分のベース領域２６についても同様に当てはまる。このねじり角αをパネル１０の標準的な長さ、例えば、１ｍの長さに適用すると、その場合に、単位を「°／ｍ」とする測定値が、パネル１０のねじれ撓み性の大きさを示す。
【００２５】
本発明による、パネルを敷設し、機械的に接合する方法でこのねじれ撓み性の特性をどのように使用するかについて、以下、図４および図５を参照して説明する。
【００２６】
図４は、互いに平行に配置された複数のパネルの列、すなわち、すでに敷設した２枚のパネル列４０、４２を示し、パネル列４２は、最後に敷設したパネル列であり、パネル列４４は、新たに敷設するパネル列である。
【００２７】
本発明による方法の第１のステップでは、新たに敷設するパネル列４４のパネル１０’、１０”…が、短い方の側部１６’／１８”、１６”／１８′′′、…で対として相互に接合されて、合成パネル４６を形成する。ここで、パネル１０’、１０”の長い方の側部１２’、１４’、１２”、１４”、…は、相互に同一直線上に位置する必要があることに留意されたい。
【００２８】
最後に敷設したパネル列４２のそれぞれのパネルにおいて、それらの溝が形成された側端部１２が、新たに敷設するパネル列４４のパネルに対向するように、いずれの場合もパネルを敷設するならば、図６に示すように、最後に敷設したパネル列４２に、新たに敷設するパネル列４４のパネルをこのように容易に整列させることができる。このために、新たに敷設するパネル列のパネルを、さね２２がすでに敷設したパネル列４２のパネルの下側溝画定リップ２０ｂに対向するように配置し、さらに、すでに敷設したパネル列４２のパネルに向かって、さね２２に形成された係合突起２２ａの面２２ｉが、すでに敷設したパネル列４２のパネルに形成された上側溝画定リップ２０ａの面２０ｈに当たって止まるまで、押入する。この状態を図６に断面で示し、図４に、新たに敷設するパネル列４４全体または合成パネル４６全体を平面図で示す。
【００２９】
本発明による敷設方法の第２のステップでは、合成パネル４６または新たに敷設するパネル列４４を、ここで、最後に敷設したパネル列４２に接合する。床張り職人は、図５の合成パネル４６の一方の長手端部４６ａ、例えば、合成パネル４６の左側の長手端部から、合成パネル４６のそれぞれ他方の長手端部４６ｂへ作業をしながら、幾つかの区間に分割して、すでに敷設したパネル列４２の溝２０に合成パネル４６をその係合突起２２ａを用いて導いていく（図７Ａを参照のこと）。パネル１０のねじれ撓み性によって、分割によるこの手順は可能になる。図５の左側の端部４６ａでは、敷設した最下位のパネル列のパネルにすでに接合しているが、図５の右側の端部４６ｂはまだ図６に示す位置合わせ位置にあることが、図５からわかる。
【００３０】
すでに説明したように、床張り職人は、合成パネル４６の一方の長手端部４６ａから他方の長手端部４６ｂまで、作業をしながら進みながら、これによって、合成パネル４６の係合突起２２ａを、ジッパのような手法で、すでに敷設したパネル列４２の溝２０に導いていく。
【００３１】
本発明による方法の第２のステップのこの第１の小ステップをもって、新たに敷設するパネル列４４または合成パネル４６と最後に敷設したパネル列４２との間の機械的は接合を完全に完了する必要はまだない。これは、最後に敷設したパネル列の溝２０に係合突起２２ａを導いた直後に、合成パネル４６を、図７Ｃに示すように、合成パネル４６が下部面Ｕ上に当たるまで、下部面Ｕに対して完全に旋回させる必要はないことを意味する。その代わりに、合成パネル４６を手で図７Ｂに示す、ロック面２０ｅ、２２ｅが、相互に僅かに嵌合しただけの、中間位置まで旋回させる、または合成パネルが重力によってそれ自体でこの位置まで旋回できるようにするだけで十分である。合成パネル４６が、その全長にわたって図７Ｂに示す中間位置をとると、本発明による敷設方法の第２のステップの続く第２の小ステップで、再び、合成パネル４６の一方の長手端部４６ａから他方の長手端部４６ｂまで、幾つかの区間に分割して作業を行い、図７Ｃによる最終的なロック状態を実現できる。
【００３２】
上記の敷設技術を用いると、材料を節約した単純な手法で、１人の床張り職人でパネル１０を容易に敷設することができる。
【図面の簡単な説明】
【００３３】
【図１】本発明による方法を用いて敷設することができるパネルの概略平面図である。
【図２】図１の線ＩＩ−ＩＩまたはＩＩ’−ＩＩ’に沿った断面図である。
【図３】ねじれ撓み性という用語を説明するための、図１の矢印方向ＩＩＩから見た図１によるパネルの概略正面図である。
【図４】本発明による方法を説明するための、下部面に敷設されたパネルの概略平面図である。
【図５】本発明による方法を説明するための、下部面に敷設されたパネルの概略平面図である。
【図６】図２と同様であるが、最後に敷設したパネル列を用いて新たに敷設するパネル列を整列する工程を説明するための図である。
【図７Ａ】図２と同様であるが、２つの隣接するパネルのロック手段を相互に旋回させて互いの入れ込む工程を説明するための図である。
【図７Ｂ】図２と同様であるが、２つの隣接するパネルのロック手段を相互に旋回させて互いの入れ込む工程を説明するための図である。
【図７Ｃ】図２と同様であるが、２つの隣接するパネルのロック手段を相互に旋回させて互いの入れ込む工程を説明するための図である。
【図１】
2008542580.tif 000003
【図２】
2008542580.tif 000004
【図３】
2008542580.tif 000005
【図４】
2008542580.tif 000006
【図５】
2008542580.tif 000007
【図６】
2008542580.tif 000008
【図７ａ】
2008542580.tif 000009
【図７ｂ】
2008542580.tif 000010
【図７ｃ】
2008542580.tif 000011
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
互いに平行な列（４０、４２、４４）をもってパネル（１０）を敷設し、機械的に接合する方法であって、前記パネル（１０）はそれぞれ、互いに相対して位置する側端部の第１の対（１２、１４）と、互いに相対して位置する側端部の第２の対（１６、１８）とを有し、
ロック手段（２０、２２）の第１の対が前記側端部の第１の対（１２、１４）に割り当てられるとともに、ロック手段（２０、２２）の第２の対が前記側端部の第２の対（１６、１８）に割り当てられ、前記ロック手段（２０、２２）の第１の対および第２の対は、基本的に、さね（２２）および溝（２０）で構成され、
前記ロック手段（２０、２２）を用いて、パネル平面（Ｌ−Ｑ）に対して垂直に延在する方向（Ｈ）、および前記パネル平面（Ｌ−Ｑ）に対し平行で、かつ、前記側端部（１２、１４、１６、１８）に対して直交して延在する方向（Ｌ）または方向（Ｑ）に、隣接する２枚のパネル（１０）を互いにロックすることができ、
前記ロック手段（２０、２２）の第１の対の前記さね（２２）および前記溝（２０）を旋回させて互いに入れ込むことによって、前記さね（２２）および前記溝（２０）を互いに連結することができる方法において、
最初に第１のステップで、新たに敷設するパネル列（４４）の複数のパネル（１０、１０’…）を、それらそれぞれのロック手段の第２の対（２０、２２）のロック手段を用いて対で互いに接合して、幅が、それぞれの前記側端部の第２の対（１６、１８）に沿った前記新たに敷設するパネル列（４４）の前記パネルの測定値と等しく、長さが、それぞれの前記側端部の第１の対（１２、１４）に沿った前記新たに敷設するパネル列（４４）の、前記新たに敷設するパネル列（４４）の複数のパネルに対応する、倍数に等しい、合成パネル（４６）を形成し、前記合成パネル（４６）は、前記第１のステップの後、下部面Ｕ上に当たり、
次に第２のステップで、新たに敷設する前記パネル列（４４）の互いに接合された前記パネル（１０、１０’…）を、幾つかの区間に分けて作業を行いながら１つまたは複数の小ステップで、新たに敷設する前記パネル列（４４）の一方の端部（４６ａ）から開始してそのもう一方の端部（４６ｂ）へ向かって、それらそれぞれのロック手段（２０、２２）の第１の対のロック手段を旋回させて他方に入れ込むことによって、前記側端部の第１の対（１２、１４）に対して平行に延在する軸（Ｌ）を中心とする前記パネル（１０、１０’）のねじれ撓み性を利用して、すでに敷設した前記パネル列（４２）の前記パネルに接合し、
前記第２のステップの間に、前記合成パネル（４６）の個々のパネルが、それぞれの前記側端部の第２の対（１６、１８）に沿ってお互いに相対的に動かないこと、を特徴とする方法。
【請求項２】
前記パネル（１０）を旋回させて他方に入れ込む際、
最初に、一方の前記パネル列（４４）の前記パネルの前記さね（２２）を、他方の前記パネル列（４２）の前記パネルの前記溝（２０）に挿入し、次に、これが前記新たに敷設するパネル列（４４）の全体に沿って完了した後、
すでに敷設した前記パネル列（４２）の可視面（２４）と新たに敷設する前記パネル列（４４）の前記パネルの可視面（２４）とが、ほぼ１つの平面内に配置されるように、新たに敷設する前記パネル列（４４）の前記パネルを旋回させることを特徴とする請求項１に記載の方法。
【請求項３】
新たに敷設する前記パネル列（４４）の前記パネルは、前記第１のステップの前処理として、または前記第１のステップを実施している間に、互いに整列されることを特徴とする請求項１または請求項２に記載の方法。
【請求項４】
前記パネル（１０）は、すでに敷設した前記パネル列（４２）の前記パネルが、それらの溝（２０）が、新たに敷設する前記パネル列（４４）の前記パネルに向くように、方向を合わせて敷設されることを特徴とする請求項１から請求項３迄の何れかにに記載の方法。
【請求項５】
前記溝（２０）を画定し、すでに敷設した前記パネル列（４２）の前記パネルの可視面（２４）に隣接するリップ（２０ａ）が、新たに敷設する前記パネル列（４４）の前記パネルの前記さね（２２）に対するストッパとして使用されることを特徴とする請求項３または請求項４に記載の方法。
【請求項６】
前記パネル（１０）の前記ねじれ撓み性は、パネルの側端部の第１の対（１２、１４）に対してほぼ平行に延在する軸（Ｌ）を中心として、前記パネルの長さ１メートル当たり少なくとも２°、好ましくは、少なくとも４°、さらに好ましくは、少なくとも６°であることを特徴とする請求項１から請求項５迄の何れかに記載の方法。
【請求項７】
前記パネル（１０）は長方形のパネルであり、前記側端部の第１の対（１２、１４）は、前記長方形の長辺に割り当てられ、前記側端部の第２の対（１６、１８）は、前記長方形の短辺に割り当てられたことを特徴とする請求項１から請求項６迄の何れかに記載の方法。
【請求項８】
前記ロック手段の第１の対（２０、２２）および／または前記ロック手段の第２の対（２０、２２）は、前記パネル（１０）のコア部（３０）と一体で形成されることを特徴とする請求項１から請求項７迄の何れかに記載の方法。
【請求項９】
前記ロック手段の第１の対（２０、２２）の前記溝（２０）は、その溝を画定する２つのリップ（２０ａ、２０ｂ）を有し、前記パネル（１０）の可視面（２４）から離れたリップ（２０ｂ）は、前記パネル（１０）の前記可視面（２４）に近いリップ（２０ａ）よりも長いことを特徴とする請求項１から請求項８迄の何れかに記載の方法。
【請求項１０】
前記ロック手段の第２の対（２０、２２）の前記溝（２０）および前記さね（２２）はまた、それらを旋回させて互いに入れ込むことによって互いに接合できることを特徴とする請求項１から請求項９迄の何れかに記載の方法。
【請求項１１】
前記ロック手段の第１の対（２０、２２）と前記ロック手段の第２の対（２０、２２）とは、ほぼ同一であるように形成されることを特徴とする請求項１０に記載の方法。
【請求項１２】
前記パネル（１０）は、木質繊維材料または木材チップ材料からなるコア部（３０）を有し、
当該コア部は、必要に応じて、前記パネル（１０）の可視面（２４）に対向する側を装飾層（３２）で覆われ、および／または、前記パネル（１０）の前記可視面（２４）から離れて対向する側を対向する層（３４）で覆われたことを特徴とする請求項１から請求項１１迄の何れかに記載の方法。
【国際調査報告】
2008542580.tif 000012
2008542580.tif 000013
2008542580.tif 000014
2008542580.tif 000015